(57)【要約】【課題】万人が、直径が３８ミリメートルの家庭用ビリヤード球を用いて、ビリヤードとボーリングを兼ね合わせたゲームを手軽に楽しむことのできる遊戯装置を提供する。【解決手段】  上記課題を解決するため、ピンポン球Ｂｔ及びビリヤード球Ｂｂが転がる面を有する台２と、上記面内に設けられ、ターゲットとなるピンポン球Ｂｔを転がらないよう静置させるターゲット配置部７と、上記台２の一端に付設され、プレイヤーにより突かれたビリヤード球Ｂｂが衝突することにより弾かれた上記ピンポン球Ｂｔ及び上記突かれたビリヤード球Ｂｂを分別回収する回収部３を備えた遊戯装置１を提供する。【選択図】図１
2019187951.tif 000002
【特許請求の範囲】
【請求項１】
第１及び第２の球が転がる面を有する台と、
前記面内に設けられ、ターゲットとなる前記第１の球を転がらないよう静置させるターゲット配置部と、
前記台の一端に付設され、プレイヤーにより突かれた前記第２の球が衝突することにより弾かれた前記ターゲット配置部に静置された前記第１の球、及び前記突かれた前記第２の球を分別回収する回収部を備えた遊戯装置。
【請求項２】
前記回収部は、
前記一端の中央に前記第１及び前記第２の球が集まるよう傾斜した底面と、
前記底面の中央部に穿設され、前記第１の球の直径より大きい幅を持つ第１の溝と、
前記第１の溝から前記台の両側面方向に連接するよう前記底面に穿設され、前記第２の球の直径より大きく前記第１の球の直径より小さい幅を持つ二つの第２の溝と、
前記第１の溝の上部に設けられ、前記第２の球を反射させるための反射体を含む請求項１に記載の遊戯装置。
【請求項３】
前記反射体は、側面において前記第２の球を反射させる三角柱状体である請求項２に記載の遊戯装置。
【請求項４】
前記回収部は、前記第２の溝の下方に延伸する円筒状のガイドをさらに備えた請求項２に記載の遊戯装置。
【請求項５】
前記回収部は、
前記回収部を前記台に回動自在に係合させる係合手段と、
前記回収部を前記台と着脱可能な状態で連結させる連結手段を含む請求項１に記載の遊戯装置。
【請求項６】
前記ターゲット配置部は、前記面の摩擦係数より大きく、前記第１の球が転がらない大きさの摩擦係数を有し、前記台の前記面に敷設されたシートにより構成された請求項１に記載の遊戯装置。
【請求項７】
前記台の両側面に付設され、前記第２の球が衝突することにより弾かれた前記第１の球、及び前記突かれた前記第２の球の少なくとも一方が前記台から落ちることを防ぐ落下防止部をさらに備えた請求項１に記載の遊戯装置。
【請求項８】
前記落下防止部は、
前記落下防止部を前記台に回動自在に係合させる係合手段と、
前記落下防止部を前記台と着脱可能な状態で連結させる連結手段を含む請求項７に記載の遊戯装置。
【請求項９】
前記面内に設けられ、打ち出す前記第２の球を転がらないよう静置させる打球配置部をさらに備えた請求項１に記載の遊戯装置。
【請求項１０】
前記打球配置部は、前記面の摩擦係数より大きく、前記第２の球が転がらない大きさの摩擦係数を有し、前記台の前記面に敷設されたシートにより構成された、請求項９に記載の遊戯装置。
【発明の詳細な説明】
【技術分野】
【０００１】
本発明は、台の上でビリヤードとボーリングを兼ね合わせたゲームを楽しむことのできる遊戯装置に係るものである。
【背景技術】
【０００２】
これまで、特許文献１や特許文献２に示されるように、キューで球を突いてピンを倒し、倒したピンの数を競うという、ビリヤードとボーリングを兼ね合わせたゲームを行うための遊戯器ないし遊戯台が考案されている。
【先行技術文献】
【特許文献】
【０００３】
【特許文献１】実開昭４８−７１９６９号公報
【特許文献２】実開昭４９−２５５７４号公報
【発明の概要】
【発明が解決しようとする課題】
【０００４】
しかし、それぞれ、特許文献１の第２図及び第３図、特許文献２の第４図に示されるように、上記ピンはボーリングで一般的に使用されているピンと同型であり特有の形状を有しているため、倒れたピンの回収が容易でないことから、ビリヤードとボーリングを兼ね合わせたゲーム（以下「本ゲーム」という。）を手軽に楽しむことはできないという課題がある。
【０００５】
本発明は、上記のような課題を解決するためになされたもので、万人が本ゲームを手軽に楽しむことのできる遊戯装置を提供することを目的とする。
【課題を解決するための手段】
【０００６】
本発明は上記課題を解決するため、第１及び第２の球が転がる面を有する台と、上記面内に設けられ、ターゲットとなる上記第１の球を転がらないよう静置させるターゲット配置部と、上記台の一端に付設され、プレイヤーにより突かれた上記第２の球が衝突することにより弾かれた上記第１の球、及び上記突かれた上記第２の球を分別回収する回収部を備えた遊戯装置を提供する。
【発明の効果】
【０００７】
本発明によれば、万人が本ゲームを手軽に楽しむことのできる遊戯装置を提供することができる。
【図面の簡単な説明】
【０００８】
【図１】本発明の実施の形態に係る遊戯装置１の構成を示す平面図である。
【図２】図１に示された回収部３のＡ−Ａ線での断面構造を示す断面図である。
【図３】図１に示された回収部３の構成を示す側面図である。
【図４】図１に示された落下防止部４の構成を示す側面図である。
【図５】図１に示されたターゲット配置部７に卓球用のピンポン球Ｂｔを静置する方法の一例を説明するための図である。
【図６】図５に示された方法を説明するための断面図である。
【発明を実施するための形態】
【０００９】
以下において、本発明の実施の形態を図面を参照しつつ詳しく説明する。なお、図中同一符号は同一又は相等部分を示す。
【００１０】
図１は、本発明の実施の形態に係る遊戯装置１の構成を示す平面図である。
最初に、図１を参照しつつ、遊戯装置１を使用して行われる本ゲームの内容について説明する。
【００１１】
本ゲーム開始前の準備として、図１に示されるように、例えば汎用されている卓球台の表面の一方の端に、ボーリングのピンに替えて、卓球で通常使用されるピンポン球Ｂｔをターゲットとして例えば１０個静置し、上記表面の他端にビリヤード球Ｂｂを例えば１１個静置する。
【００１２】
ここで、ビリヤード球Ｂｂとしては、直径が３８ミリメートルの家庭用の小球を利用するのが好適である。
【００１３】
また、卓球台で卓球を行う場合には通常ネットを使用するが、最近においては、ボタンを押下するだけで卓球台への取り付け、若しくは卓球台からの取り外しができ、かつ、網の部分も自動的に巻くことのできる簡易ネットが販売されている。そこで、卓球を行う際には本簡易ネットを使用すると共に、本ゲームを行う場合においては、この簡易ネットを台の片側から外し、台のもう一方の側においてビリヤード球Ｂｂを静置させる位置寄りの場所に付け替えれば、上記ピンポン球Ｂｔやビリヤード球Ｂｂが卓球台の上から外に落下することを防ぐようにすることができるため好適である。
【００１４】
このような準備を終えた後にゲーム開始となるが、プレイヤーは上記１１個のビリヤード球Ｂｂのうちいずれかを選択し、選択した上記ビリヤード球Ｂｂを矢印のように上記ピンポン球Ｂｔへ向けてキューで突き、卓球台の表面上を転がるビリヤード球Ｂｂを上記ピンポン球Ｂｔに衝突させてピンポン球Ｂｔを卓球台から弾き落とす試技を行う。
【００１５】
ここで、プレイヤーは、上記１０個の全てのピンポン球Ｂｔが卓球台から落ちるまで順次上記ビリヤード球Ｂｂを突いて上記試技を行う。なお、これから突こうとしているビリヤード球Ｂｂを、既に突いたビリヤード球Ｂｂが静置されていた位置に動かしてもよいといったルールを採用することも考えられる。
【００１６】
そして、全ての上記ピンポン球Ｂｔが卓球台から落ちた時点で卓球台の上に突かれることなく静置されたまま残っている上記ビリヤード球Ｂｂの数が当該プレイヤーの得点となる。なお、１個のビリヤード球Ｂｂを突いて上記１０個の全てのピンポン球Ｂｔを卓球台から落とすという、いわゆるボーリングで言うところのストライクを達成した場合には、ボーナス点として１０点を加点するとのルールを採用することも考えられる。
【００１７】
従って、このようなルールを採用した場合には、一回の試技、すなわち１個のビリヤード球Ｂｂを突いただけで上記１０個の全てのピンポン球Ｂｔを卓球台から落とした場合には、当該プレイヤーの得点は２０点となる。
【００１８】
このように、本ゲームでは、予め配置された全てのピンポン球Ｂｔをできるだけ少ない回数の上記試技により卓球台から落としたプレイヤーが多くの得点を得ることになり、プレイヤー同士で本得点を競って得点の多い者が勝ちとなる。
【００１９】
以下において、上記のような本ゲームを行うための遊戯装置１について詳しく説明する。
【００２０】
図１に示されるように、遊戯装置１は、台２と、台２の一端に付設された回収部３と、台２の両側面に付設された落下防止部４を備え、台２の表面には上記ビリヤード球Ｂｂを転がらないよう静置させる打球配置部６と、上記ピンポン球Ｂｔを転がらないよう静置させるターゲット配置部７が設けられている。
【００２１】
ここで、回収部３は、底面ＰＢの中央部に穿設され、上記ピンポン球Ｂｔの直径より大きい幅を持つ溝ｇ１と、溝ｇ１から台２の両側面方向に連接するよう上記底面ＰＢに穿設され、上記ビリヤード球Ｂｂの直径より大きく上記ピンポン球Ｂｔの直径より小さい幅を持つ二つの溝ｇ２と、溝ｇ１の上部に設けられ、上記ビリヤード球Ｂｂを反射面ｆで反射させる反射体８を含む。
【００２２】
上記反射体８は、図１及び後述する図２に示されるように、例えば、二等辺三角形若しくは正三角形の底面を持ち、側面が上記反射面ｆをなす三角柱状体により構成される。
【００２３】
上記のような構成を有する遊戯装置１は、後に詳しく説明するように、台２として汎用されている卓球台を転用することができるため、万人に本ゲームを手軽に楽しむ機会を提供することができる。
【００２４】
図２は、図１に示された回収部３のＡ−Ａ線での断面構造を示す断面図である。図１及び図２に示されるように、回収部３は、中央に上記ピンポン球Ｂｔ及び上記ビリヤード球Ｂｂが集まるよう傾斜した底面ＰＢと、上記底面ＰＢの中央部に穿設され、上記ピンポン球Ｂｔの直径より大きい幅を持つ溝ｇ１と、溝ｇ１から台２の両側面方向に連接するよう上記底面ＰＢに穿設され、上記ビリヤード球Ｂｂの直径より大きく上記ピンポン球Ｂｔの直径より小さい幅を持つ二つの溝ｇ２と、各溝２の下方に延伸する円筒状の小ボールガイドｇｄと、溝ｇ１の上部に設けられ、二つの反射面ｆで上記ビリヤード球Ｂｂを反射させる反射体８を含む。
【００２５】
なお、図２において、一点鎖線は台２の表面を示し、破線は上記のように溝ｇ１より狭い幅を持つ溝ｇ２を示す。また、底面ＰＢ及び反射体８は、後述する図３に示された回収レーン１５に形成され、小ボールガイドｇｄは同図の支持用帯状金具１２に接合される。
【００２６】
以上のような構成を有する回収部３では、図２に示されるように、台２の上記一端から落ちたピンポン球Ｂｔは、底面ＰＢを中央に向かって転がり、溝ｇ２を通過して溝ｇ１の中に落下する。
【００２７】
一方、上記一端から落ちたビリヤード球Ｂｂは、上記のピンポン球Ｂｔと同様に底面ＰＢを中央に向かって転がり、溝ｇ２の中に落下する。この際、ビリヤード球Ｂｂは上記小ボールガイドｇｄの中を通過するため、ビリヤード球Ｂｂは溝ｇ２の直下に落ちることになる。
【００２８】
すなわち、小ボールガイドｇｄは、溝２の中に落下したビリヤード球Ｂｂを台２の直下に導く作用を有するため、ビリヤード球Ｂｂの確実かつ容易な回収を実現することができる。
【００２９】
また、反射体８がない場合には、溝ｇ１の幅はビリヤード球Ｂｂの直径より大きいため、ビリヤード球Ｂｂが溝ｇ１の中に落下してしまう恐れがある。しかし、上記のように溝ｇ１の上部に反射体８が設けられているため、図２に示されるように、たとえビリヤード球Ｂｂが台２の表面から溝ｇ１に向かって落ちてきた場合であっても反射面ｆで反射するため、ビリヤード球Ｂｂを溝ｇ１ではなく溝ｇ２の中に落下させることができる。
【００３０】
以上より、上記のような構成を有する回収部３によれば、後述する図３に示されるように、溝ｇ１及び溝ｇ２の下にそれぞれ回収箱Ｃを設置することにより、上記ピンポン球Ｂｔと上記ビリヤード球Ｂｂを分別回収することができる。
【００３１】
なお、上記の回収箱Ｃについては、例えば、溝ｇ１及び溝ｇ２の下に共通の一つの大きな箱を置き、その箱の中で溝ｇ１の下に当たる部分に別の箱を入れ子状に置くのが好適である。このような回収箱Ｃによれば、上記別の箱を取り出すことにより、溝ｇ１に落ちたピンポン球Ｂｔを容易に回収できると共に、上記大きな箱により、溝ｇ２に落ちたビリヤード球Ｂｂを容易に回収することができる。このとき、上記大きな箱の中で溝ｇ２の下に当たる部分二箇所にそれぞれ、例えば２０ミリメートル程度の高さの発泡材を敷いておけば、上記別の箱の位置決めと安定性の点でより好適である。
【００３２】
図３は、図１に示された回収部３の構成を示す側面図である。図３に示されるように、回収部３は、台２に取り付けられた金具１１と、金具１１にピン１３の周りで回動するよう連結されると共にひねり部ＴＷを有し、後述する回収レーン１５を支持する支持用帯状金具１２と、支持用帯状金具１２に接合され、溝ｇ２の下方に延伸する円筒状の小ボールガイドｇｄと、支持用帯状金具１２に接合され、上記溝ｇ１及び溝ｇ２が穿設された半円筒状の底面を有すると共に、ピンポン球Ｂｔ及びビリヤード球Ｂｂを中央へ向かって転がす回収レーン１５と、上記溝ｇ１を覆うよう上記溝ｇ１の上部において回収レーン１５に接合された反射体８と、台２に固着された磁石Ｍを用いて回収部３を台２と着脱可能な状態で連結させるために支持用帯状金具１２に固着された鉄片１６とにより構成される。なお、図３においては、台２の上を転がり反射体８により弾かれるビリヤード球Ｂｂが破線により示されている。
【００３３】
以上のように、回収部３は簡素な構成を有するため、汎用されている卓球台に容易に取り付けることができる。このことから、身近にある卓球台を上記台２として利用することができる。
【００３４】
また、上記のように汎用されている卓球台を台２として使用するとき、回収部３を台２から離脱させて台２の下方へ回動させることにより、プレイヤーは台２の上で容易に通常の卓球を行うことができる。このことから、図１に示された一台の遊戯装置１は、通常の卓球と本ゲームの両方を楽しむ機会を提供することができる。
【００３５】
なお、上記において、磁石Ｍを支持用帯状金具１２に固着させ、鉄片１６を台２に固着させるようにしても良いことは言うまでもない。
【００３６】
次に、ターゲット配置部７は、上記のように、ターゲットとなるピンポン球Ｂｔを静置させる機能を有するが、摩擦係数が台２の表面の摩擦係数より大きく、ピンポン球Ｂｔが転がらない大きさである布、ゴム、人工芝等の樹脂などからなり、台２の表面に敷設された円形状のシートにより構成される。
【００３７】
ターゲット配置部７が上記のような構成を有するため、例えば汎用されている卓球台を台２として使用する場合には、当該卓球台の表面上に上記シートを置くだけで手軽に本ゲームを楽しむ機会を提供することができる。
【００３８】
なお、上記シートを台２の表面から取り去ることにより、プレイヤーは当該卓球台で容易に卓球を行うことができるようになることは言うまでもない。
【００３９】
次に、打球配置部６は、上記のように、キューなどで図１に示された矢印の方向へ打ち出すビリヤード球Ｂｂを転がらないよう静置する機能を有するが、ターゲット配置部７と同様に、摩擦係数が台２の表面の摩擦係数より大きく、ビリヤード球Ｂｂが転がらない大きさである布、ゴム、人工芝等の樹脂などからなり、台２の表面に敷設された長方形のシートにより構成される。
【００４０】
打球配置部６は上記のような構成を有するため、ターゲット配置部７と同様に、汎用されている卓球台を台２として使用する場合には、当該卓球台の表面上に上記シートを置くだけで手軽に本ゲームを楽しむ機会を提供することができる。
【００４１】
なお、上記シートを台２の表面から取り去ることにより、プレイヤーは当該卓球台で容易に卓球を行うことができるようになることは、ターゲット配置部７と同様である。
【００４２】
図４は、図１に示された落下防止部４の構成を示す側面図である。図１及び図４に示されるように、落下防止部４は台２の両側面に付設され、ビリヤード球Ｂｂが衝突することにより弾かれたピンポン球Ｂｔ、及びプレイヤーにより突かれたビリヤード球Ｂｂの少なくとも一方が台２から落ちることを防ぐ機能を有する。
【００４３】
ここで、図４に示されるように、落下防止部４は、台２に取り付けられた金具１１と、金具１１にピン１３の周りで回動するよう連結され、ひねり部ＴＷを有する支持用帯状金具１２と、支持用帯状金具１２に接合された落下防止板１７と、台２に固着された磁石Ｍを用いて落下防止部４を台２と着脱可能な状態で連結させるために支持用帯状金具１２に固着された鉄片１６とにより構成される。
【００４４】
以上のように、落下防止部４は回収部３と同様に簡素な構成を有するため、汎用されている卓球台に容易に取り付けることができる。これにより、身近にある卓球台を本ゲーム用の台２として利用することができる。
【００４５】
また、上記のように台２として卓球台を使用するとき、落下防止部４を台２から離脱させて台２の下方へ回動させることにより、プレイヤーは台２の上で容易に通常の卓球を行うことができる。このことから、上記のように、図１に示された一台の遊戯装置１で、通常の卓球と本ゲームの両方を楽しむ機会を提供することができる。
【００４６】
なお、上記において、磁石Ｍを支持部材１２に固着させ、鉄片１６を台２に固着させるようにしても良いことは言うまでもない。
【００４７】
図５は、図１に示されたターゲット配置部７に上記ピンポン球Ｂｔを静置する方法の一例を説明するための図である。ピンポン球Ｂｔは球体であり転がり易いため、ターゲット配置部７において所望の位置にピンポン球Ｂｔを静置させるのは、特にピンポン球Ｂｔの数が少なくない場合には面倒である。
【００４８】
そこで、ターゲット配置部７にピンポン球Ｂｔを静置するためには、図５に示されるように、ピンポン球Ｂｔを配置させる位置にピンポン球Ｂｔの直径より少し大きな直径を有する穴ｈを穿設した底面と、半円錐状の形状を有するゴム製の台部１９を持ったお盆状の位置決め器１８を利用すると好適である。
【００４９】
すなわち、図５に示されるように、ターゲット配置部７の上に位置決め器１８を置き、図６に示されるように上記穴ｈの各々にピンポン球Ｂｔが収まるよう各ピンポン球Ｂｔを配置する。そして、上記穴ｈの全ての中にピンポン球Ｂｔを収めた後に、図６の矢印で示されるように位置決め器１８を静かに上方へ持ち上げる。このような方法によって、ターゲット配置部７の所望の位置にピンポン球Ｂｔを静置させることができる。
【００５０】
なお、図５に示されるように、上記ターゲット配置部７には、ピンポン球Ｂｔを静置させる位置に予め丸印などのマークＭＫを付しておけば、上記位置決め器１８の上記穴ｈを上記マークＭＫと揃えることによって、確実にピンポン球Ｂｔを所望の位置に配置することができる。
【００５１】
また、図５及び図６に示された位置決め器１８はお盆状の形状を有し、側面と底面が滑らかな曲面により接続されているため、この中に無造作にピンポン球Ｂｔを入れた場合、上記穴ｈにピンポン球Ｂｔが転がり込む作用を有する。
【００５２】
また、位置決め器１８は、ターゲット配置部７を構成するシートが使用されないときには、その底面内に当該シートを収納することができる。
【００５３】
以上より、本発明の実施の形態に係る遊戯装置１によれば、汎用されている卓球台を台２として使用することにより本ゲームを行うことができるため、本ゲームを手軽に楽しむ機会を万人に提供することができる。
【符号の説明】
【００５４】
１  遊戯装置、２  台、３  回収部、４  落下防止部、６  打球配置部、７  ターゲット配置部、８  反射体、１１  金具、１２  支持用帯状金具、１３  ピン、１５  回収レーン、１６  鉄片、１７  落下防止板、ｇ１，ｇ２  溝、ｇｄ  小ボールガイド、ＰＢ  底面、Ｍ  磁石、ＴＷ  ひねり部。
【図１】
2019187951.tif 000003
【図２】
2019187951.tif 000004
【図３】
2019187951.tif 000005
【図４】
2019187951.tif 000006
【図５】
2019187951.tif 000007
【図６】
2019187951.tif 000008
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
第１及び第２の球が転がる面を有する台と、
前記面内に設けられ、ターゲットとなる前記第１の球を転がらないよう静置させるターゲット配置部と、
前記台の一端に付設され、プレイヤーにより突かれた前記第２の球が衝突することにより弾かれた前記ターゲット配置部に静置された前記第１の球、及び前記突かれた前記第２の球を分別回収する回収部を備え、
前記回収部は、
前記一端の中央に前記第１及び前記第２の球が集まるよう傾斜した底面と、
前記底面の中央部に穿設され、前記第１の球の直径より大きい幅を持つ第１の溝と、
前記第１の溝から前記台の両側面方向に連接するよう前記底面に穿設され、前記第２の球の直径より大きく前記第１の球の直径より小さい幅を持つ二つの第２の溝と、
前記第１の溝の上部に設けられ、前記第２の球を反射させるための反射体を含む遊戯装置。
【請求項２】
前記反射体は、側面において前記第２の球を反射させる三角柱状体である請求項１に記載の遊戯装置。
【請求項３】
前記回収部は、前記第２の溝の下方に延伸する円筒状のガイドをさらに備えた請求項１に記載の遊戯装置。
【請求項４】
第１及び第２の球が転がる面を有する台と、
前記面内に設けられ、ターゲットとなる前記第１の球を転がらないよう静置させるターゲット配置部と、
前記台の一端に付設され、プレイヤーにより突かれた前記第２の球が衝突することにより弾かれた前記ターゲット配置部に静置された前記第１の球、及び前記突かれた前記第２の球を分別回収する回収部を備え、
前記回収部は、
前記回収部を前記台に回動自在に係合させる係合手段と、
前記回収部を前記台と着脱可能な状態で連結させる連結手段を含む遊戯装置。
【請求項５】
第１及び第２の球が転がる面を有する台と、
前記面内に設けられ、ターゲットとなる前記第１の球を転がらないよう静置させるターゲット配置部と、
前記台の一端に付設され、プレイヤーにより突かれた前記第２の球が衝突することにより弾かれた前記ターゲット配置部に静置された前記第１の球、及び前記突かれた前記第２の球を分別回収する回収部と、
前記台の両側面に付設され、前記第２の球が衝突することにより弾かれた前記第１の球、及び前記突かれた前記第２の球の少なくとも一方が前記台から落ちることを防ぐ落下防止部を備え、
前記落下防止部は、
前記落下防止部を前記台に回動自在に係合させる係合手段と、
前記落下防止部を前記台と着脱可能な状態で連結させる連結手段を含む遊戯装置。